(57)【特許請求の範囲】
【請求項１】
背枠の内側に着座者からの荷重に応じて厚み方向に弾性的に撓む背支持部材を配してなる背凭れと、この背凭れに設けられるランバーサポートとを備えた椅子であって、
前記ランバーサポートが、両端部を前記背枠に支持させて前記背凭れの背面側に配設され前記背支持部材が後方に撓んだ段階で当該背支持部材の背面を直接又は間接的に受け止めて当該背支持部材の撓みを抑制する受け止め部材と、この受け止め部材による受け止め位置を前後方向に変化させる撓み量調整機構とを備えたものであり、
前記背枠が、左右の側枠部分を備えたものであり、
前記受け止め部材が、基端部を一方の前記側枠部分に支持させ先端側を他方の前記側枠部分の方向に延伸させたベルトと、基端部を他方の前記側枠部分に支持させ前記ベルトの先端側を保持するバックルとを備えたものであり、
前記撓み量調整機構が、前記バックルに設けられた係合部と、前記ベルトに設けられ左右方向に間隔をあけて配された複数の被係合部とを備え、前記係合部を前記被係合部の何れかに選択的に係合させ得るようにしたものであり、
前記バックルが、前記ベルトの先端部が挿入されるベルト挿通孔を有したバックル本体とこのバックル本体に片持ち状態で設けられ自由端側が前記ベルトに対して接離する方向に弾性回動可能な操作アームとを備えたものであり、前記操作アームの自由端側に前記係合部が設けられているとともに、前記ベルトに、前記複数の被係合部が設けられている椅子。
【請求項２】
前記ランバーサポートが、前記背支持部材の背面に添接するプレート部材と、このプレート部材の背面側に配設され前記背支持部材の背面を前記プレート部材を介して間接的に受け止め得る前記受け止め部材とを備えている請求項１記載の椅子。
【請求項３】
前記プレート部材が前記受け止め部材に装着されたものであり、これらプレート部材と受け止め部材とを主体にして前記背枠に対して着脱可能なユニット体を構成している請求項２記載の椅子。
【請求項４】
前記プレート部材が、その両端部を前記受け止め部材の両端部に支持させたものである請求項２又は３記載の椅子。
【請求項５】
前記ベルトが手指を掛けるための指掛け部を備えたものであり、当該指掛け部及び前記バックルにそれぞれ片手側の手指を掛けて双方を相寄る方向に操作可能に構成されている請求項１、２、３又は４記載の椅子。
【請求項６】
前記ランバーサポートが、上下方向に移動可能に前記背凭れに支持されている請求項１、２、３、４又は５記載の椅子。
【発明の詳細な説明】
【技術分野】
【０００１】
本発明は、着座者の腰部を支持するためのランバーサポートを備えた椅子に関する。
【背景技術】
【０００２】
従来から、この種の椅子においては、着座者の腰部を前方に押し出して支持するランバーサポートを有したものが知られている（例えば、特許文献１を参照）。
【０００３】
従来のランバーサポートは、着座者の腰部を前方に向かって積極的に押し出すことにより、着座者の腰部分を、張地等を介して間接的に支持するようにしている。このため、従来の椅子においては、ランバーサポートに関連する部位、例えば、ランバーサポートの両端部や背凭れにおけるランバーサポートを支持する部位に、前方に向かって積極的に押し出すために相応の剛性が要求されるものとなっていた。換言すれば、ランバーサポートを有する従来の椅子においては、当該ランバーサポートに関連する部位における剛性が高度に要求されていたため、構造の簡素化や軽量化を図るための設計の自由度が制限されるものとなっていた。
【先行技術文献】
【特許文献】
【０００４】
【特許文献１】特開２００６−１１００１４号公報
【発明の概要】
【発明が解決しようとする課題】
【０００５】
本発明は、以上のような事情に着目してなされたものであり、ランバーサポートを有する椅子において、ランバーサポートに関連する部位における構造の簡素化や軽量化を図るための設計の自由度に優れた椅子を提供することにある。
【課題を解決するための手段】
【０００６】
すなわち、本発明の椅子は次の構成をなしている。
【０００７】
請求項１に記載の椅子は、背枠の内側に着座者からの荷重に応じて厚み方向に弾性的に撓む背支持部材を配してなる背凭れと、この背凭れに設けられるランバーサポートとを備えた椅子であって、前記ランバーサポートが、両端部を前記背枠に支持させて前記背凭れの背面側に配設され前記背支持部材が後方に撓んだ段階で当該背支持部材の背面を直接又は間接的に受け止めて当該背支持部材の撓みを抑制する受け止め部材と、この受け止め部材による受け止め位置を前後方向に変化させる撓み量調整機構とを備えたものであり、前記背枠が、左右の側枠部分を備えたものであり、前記受け止め部材が、基端部を一方の前記側枠部分に支持させ先端側を他方の前記側枠部分の方向に延伸させたベルトと、基端部を他方の前記側枠部分に支持させ前記ベルトの先端側を保持するバックルとを備えたものであり、前記撓み量調整機構が、前記バックルに設けられた係合部と、前記ベルトに設けられ左右方向に間隔をあけて配された複数の被係合部とを備え、前記係合部を前記被係合部の何れかに選択的に係合させ得るようにしたものであり、前記バックルが、前記ベルトの先端部が挿入されるベルト挿通孔を有したバックル本体とこのバックル本体に片持ち状態で設けられ自由端側が前記ベルトに対して接離する方向に弾性回動可能な操作アームとを備えたものであり、前記操作アームの自由端側に前記係合部が設けられているとともに、前記ベルトに、前記複数の被係合部が設けられているものである。
【０００８】
請求項２に記載の椅子は、請求項１に係る構成において、前記ランバーサポートが、前記背支持部材の背面に添接するプレート部材と、このプレート部材の背面側に配設され前記背支持部材の背面を前記プレート部材を介して間接的に受け止め得る前記受け止め部材とを備えているものである。
【０００９】
請求項３に記載の椅子は、請求項２に係る構成において、前記プレート部材が前記受け止め部材に装着されたものであり、これらプレート部材と受け止め部材とを主体にして前記背枠に対して着脱可能なユニット体を構成しているものである。
【００１０】
請求項４に記載の椅子は、請求項２又は３に係る構成において、前記プレート部材が、その両端部を前記受け止め部材の両端部に支持させたものである。
【００１４】
請求項５に記載の椅子は、請求項１、２、３又は４に係る構成において、前記ベルトが手指を掛けるための指掛け部を備えたものであり、当該指掛け部及び前記バックルにそれぞれ片手側の手指を掛けて双方を相寄る方向に操作可能に構成されているものである。
【００１５】
請求項６に記載の椅子は、請求項１、２、３、４又は５に係る構成において、前記ランバーサポートが、上下方向に移動可能に前記背凭れに支持されているものである。
【発明の効果】
【００１６】
以上説明したように本発明によれば、ランバーサポートを有する椅子において、ランバーサポートに関連する部位における構造の簡素化や軽量化を図るための設計の自由度に優れた椅子を提供することができるものとなる。
【図面の簡単な説明】
【００１７】
【図１】本発明の一実施形態を示す斜視図。
【図２】同実施形態における部分拡大正面図。
【図３】同実施形態における分解斜視図。
【図４】図２におけるＡ−Ａ線断面図。
【図５】ランバーサポートを説明するための図４対応の断面図。
【図６】ランバーサポートを説明するための拡大断面図。
【図７】ランバーサポートを説明するための後側から見た分解斜視図。
【図８】ランバーサポートを説明するための後側から見た分解斜視図。
【図９】ランバーサポートの作用説明図。
【図１０】ランバーサポートの作用説明図。
【発明を実施するための形態】
【００１８】
以下、本発明の一実施形態を、図１〜１０を参照して説明する。なお、図２及び図３では、説明の便宜上、背凭れ３を構成する背支持部材である張地３２や、座や脚を省略したものを示している。
【００１９】
この実施形態は、本発明を、オフィス等において好適に使用される事務用回転椅子である椅子Ｃに適用したものである。
【００２０】
椅子Ｃは、脚１と、脚１の上端に水平旋回可能に取り付けられた図示しない支持基部と、支持基部の上側に支持された座２と、下端部を支持基部に回転可能に支持されたパイプフレームを主体に構成されてなる図示しない背支桿と、背支桿に支持された背凭れ３とを具備している。背凭れ３には、着座者Ｐの背を支持するためのランバーサポートＳが設けられている。この椅子Ｃは、座２と背凭れ３とを連動させて後傾動作させるための図示しない支持基部を主体に構成されたシンクロロッキング機構を備えている。
【００２１】
以下、この椅子Ｃについて詳述する。
【００２２】
脚１は、下端にキャスタ１１を備えた複数本の脚羽根１２と、脚羽根１２の上端部が集合する部位から起立する図示しない脚支柱とを備えている。
【００２３】
支持基部は、金属製の部材を主体に構成されたものであり、前記脚支柱の上端部分に支持されている。
【００２４】
座２は、座クッション（図示せず）と、この座クッションに張り設けられた表皮材２１と、前記座クッションの下面に配された図示しない板材とを備えている。板材は、支持基部の上に回動可能に設けられた図示しない座受に支持されるものであり、座受に対してビスにより止着されている。
【００２５】
背支桿は、背凭れ３を支持するものであり、支持基部と背凭れ３との間に介在している。背支桿は、その下部が支持基部に回転可能に支持されており、その上部が背凭れ３における左右方向中間部の下端部分に接続されている。
【００２６】
次いで、本実施形態における背凭れ３、及び、ランバーサポートＳについて説明する。
【００２７】
背凭れ３は、四角枠状をなす背枠３１の内側に着座者Ｐからの荷重に応じて厚み方向に弾性的に撓む背支持部材である張地３２を配してなる。
【００２８】
背枠３１は、左右方向に延びる上枠部分ｗ１、及び下枠部分ｗ２と、これら上枠部分ｗ１と下枠部分ｗ２とを繋ぐ上下方向に延びる左右の側枠部分ｗ３、ｗ４とを主体に構成されている。左右の側枠部分ｗ３、ｗ４は側面視くの字状をなしている。換言すれば、左右の側枠部分ｗ３、ｗ４は、その上下方向中間部における着座者Ｐの腰部に対応する部分が前方に最も突出するように湾曲した形状をなしている。
【００２９】
背枠３１は、張地３２を支持した前枠部材３１ｆと、この前枠部材３１ｆを前面側に添接させた状態で当該前枠部材３１を保持する後枠部材３１ｒとを主体に構成されている。張地３２は、その周縁部を前枠部材３１ｆの周縁部に支持させている。
【００３０】
前枠部材３１ｆは、正面視において四角枠状をなし、樹脂により一体に形成されている。前枠部材３１ｆは、左右方向に延びる上枠部ｆ１、及び下枠部ｆ２と、これら上枠部ｆ１と下枠部ｆ２とを繋ぐ上下方向に延びる左右の側枠部ｆ３、ｆ４とを備えている。前枠部材３１ｆには、所定箇所に前後方向にビス挿通孔ｈが設けられている。前枠部材３１ｆにおける左右の側枠部ｆ３、ｆ４は、ランバーサポートＳを上下方向にスライド移動可能に支持するための前側の保持部３１１、３１２を備えている。前側の保持部３１１、３１２は、後述する後枠部材３１ｒの保持部３１３、３１４とともに、ランバーサポートＳを支持するためのランバーサポート支持部を構成するものである。前側の保持部３１１、３１２は、ランバーサポートＳにおける係合レール５１３、５２３の前面５１３ａ、５２３ａと係合し得る前壁３１１ａ、３１２ａと、係合レール５１３、５２３の外側面５１３ｄ、５２３ｄと係合し得る側壁３１１ｂ、３１２ｂとを備えている。なお、受け止め部材５の係合レール５１３、５２３については後で詳述する。
【００３１】
後枠部材３１ｒは、左右方向に延びる上枠部ｒ１及び下枠部ｒ２と、これら上枠部ｒ１と下枠部ｒ２とを繋ぐ上下方向に延びる左右の側枠部ｒ３、ｒ４と、前記下枠部ｒ２の左右方向中間部に突設され背支桿と接続するための背支桿接続部ｒ５とを備えている。後枠部材３１ｒは、樹脂により一体に形成されている。
【００３２】
後枠部材３１は、上枠部ｒ１、下枠部ｒ２、及び左右の側枠部ｒ３、ｒ４を主体にして、正面視において四角枠状をなした四角枠状部を構成している。四角枠状部は、その外周縁側の前面に前枠部材３１ｆの外側に位置して外部に露出した外周縁領域ｍ１と、前記四角枠状部の内周縁側の前面に前枠部材３１ｆの背面側が添接する内周縁領域ｍ２とを有している。後枠部材３１ｒには、内周縁領域ｍ２の所定箇所に、前述した前枠部材３１ｆのビス挿通孔ｈを通過したビスｖが螺着するナットｎが設けられている。
【００３３】
後枠部材３１ｒにおける左右の側枠部ｒ３、ｒ４は、ランバーサポートＳを上下方向にスライド移動可能に支持するための後側の保持部３１３、３１４を備えている。後側の保持部３１３、３１４は、前側の保持部３１１、３１２とともに、ランバーサポートＳを支持するためのランバーサポート支持部を構成するものである。後側の保持部３１３、３１４は、ランバーサポートＳにおける係合レール５１３、５２３の背面５１３ｂ、５２３ｂと係合し得る後壁３１３ａ、３１４ａと、係合レール５１３、５２３の内側面５１３ｃ、５２３ｃと係合し得る側壁３１３ｂ、３１４ｂとを備えている。
【００３４】
張地３２は、伸縮性を有したメッシュ状をなすものであり、その外周端部が前記前枠部材３１ｆと後枠部材３１ｒとの間に挟持されている。
【００３５】
次いで、ランバーサポートＳについて詳述する。
【００３６】
ランバーサポートＳは、両端部を前記背枠３１に支持させて前記背凭れ３の背面側に配設されている。ランバーサポートＳは、張地３２が後方に撓んだ段階で当該張地３２の背面を直接的に受け止めて支持するプレート部材４と、このプレート部材４の後側に配され張地３２が後方に撓んだ段階で前記張地３２の背面を間接的に受け止めて当該張地３２の撓みを抑制する受け止め部材５とを備えている。すなわち、ランバーサポートＳは、前記張地３２の背面に添接するプレート部材４と、このプレート部材４の背面側に配設され前記張地３２の背面をこのプレート部材４を介して間接的に受け止め得る受け止め部材５とを有する。
【００３７】
なお、プレート部材４は、張地３２が撓む前から当該張地３２の背面を受け止めているものであってもよい。
【００３８】
この実施形態では、プレート部材４が受け止め部材５に装着されたものであり、これらプレート部材４と受け止め部材５とを主体にして前記背枠３１に対して着脱可能なユニット体を構成している。つまり、プレート部材４及び受け止め部材５からなるユニット体を、背枠３１に対して着脱可能に取り付け得るものとなっている。
【００３９】
プレート部材４は、横長の矩形状をなした板状部分を主体に構成されており、樹脂により形成されている。プレート部材４は、その両端部を前記受け止め部材５の両端部に撓みが許容され得る態様で支持されている。換言すれば、プレート部材４は、その両端部を前記受け止め部材５の両端部に回動及び左右方向にスライド可能に支持されている。より具体的には、プレート部材４の一端側である左端部は受け止め部材５を構成するベルト５１に支持されており、プレート部材４の他端側である右端部は受け止め部材５を構成するバックル５２に支持されている。換言すれば、プレート部材４は、受け止め部材５に設けられた上下方向に延びる軸Ｊの端部を支持するための軸支持部４２を備えている。
【００４０】
プレート部材４は、着座者Ｐの腰部分を比較的広い面積で受け止めて着座者Ｐに対して好適なホールド感を提供するためのものである。プレート部材４は、その左右端部が前枠部材３１ｆと張地３２との間に位置する左右方向の大きさに設定されたプレート状をなすプレート部材本体４１と、このプレート部材本体４１の背面側の四隅に設けられ後述する受け止め部材５の軸ｊを支持する軸支持部４２とを備えている。プレート部材４は、直接的に背枠３１に対して支持されておらず、受け止め部材５を介して背枠３１に対して間接的に支持されている。
【００４１】
プレート部材本体４１は、着座者Ｐの荷重を受けていない場合には平面視において左右方向に略直線状をなしており、着座者Ｐの荷重を受けた場合には後方に向けて凸をなすように撓み得る板状のものである。プレート部材本体４１は、着座者Ｐの荷重を受けた場合に、前面側が張地３２の背面に添接し得るようになっているとともに後面側が受け止め部材５の正面に添接し得るようになっている。
【００４２】
軸支持部４２は、受け止め部材５のプレート部材支持部５１４、５２４と協働して、プレート部材本体４１を受け止め部材５に対して回動可能且つ左右方向にスライド可能に支持するものである。軸支持部４２は、プレート部材本体４１から後方に延出しプレート部材本体４１の受け止め部材５に対する上下方向の移動を規制するための水平壁４２１と、この水平壁４２１の後端部から内方に延出しプレート部材４１の受け止め部材５に対する前方向の移動を規制するための後壁４２２と、前記水平壁４２１の内方端部から下方に延出しプレート部材４１の受け止め部材３に対する左右方向の移動を規制するための内壁４２３とを具備している。なお、プレート部材本体４１は、後述する受け止め部材５の突出板５１４ａ、５２４ａと係わり合い当該突出板５１４ａ、５２４ａと係わり合う部分において後方への移動が規制されている。
【００４３】
受け止め部材５は、基端部を一方の側枠部分である左の側枠部分ｗ３に支持させ先端側を他方の側枠部分である右の側枠部分ｗ４方向に延伸させたベルト５１と、基端部を他方の側枠部分である右の側枠部分ｗ４に支持させ前記ベルト５１の先端側を保持するバックル５２とを備えている。受け止め部材５は、ベルト５１とバックル５２との協働により左右方向の長さを変更可能に構成されている。換言すれば、受け止め部材５は、撓み量調整機構Ｊにより、後方に向けて凸をなす撓みの程度を調整できるように構成している。受け止め部材５は、着座者Ｐの荷重による張地３２のたわみを受けて変形したプレート部材４１のたわみを直接受け止めるものである。
【００４４】
ベルト５１は、左右方向に延びた帯状部分を主体に構成され初期状態において後方に向かって凸をなすように撓んだ形状をなすベルト本体５１１と、このベルト本体５１１の基端に設けられ上下に指掛け用の凹み部５１２ａを配したブロック状をなす指掛け部５１２と、この指掛け部５１２の外側端部に設けられ背枠３１における左の側枠部分ｗ３と係わり合う左側の係合レール５１３と、前記指掛け部５１２の外側端部から前方に向かって突設され前記プレート部材４を支持する左側のプレート部材支持部５１４とを備えている。ベルト５１は、樹脂により一体に形成されている。
【００４５】
ベルト本体５１１は、バックル５２が配されている側である先端部分における背面側に、左右方向に複数の被係合部である係合凹部５１１ａが設けられている。この実施形態では３箇所に前記係合凹部５１１ａが設けられており、最も先端側に位置する係合凹部５１１ａの先端側にはバックル５２からの抜き出ることを抑制するための一定の高さ寸法を有した端縁壁５１１ｂが設けられている。ベルト本体５１１は、左右方向及び上下方向の中間部に手指を挿通可能な指掛け部である貫通孔５１１ｃを備えている。貫通孔５１１ｃは左右方向に延びる矩形状のものであり、特にバックル５２とベルト５１とを相互に寄る方向に操作する際に機能を発揮するものとなっている。
【００４６】
指掛け部５１２は、ベルト本体５１１よりも後方に突出した形状をなしたものであり、その上端部及び下端部に操作者の指を掛けられるように凹ませた凹み部５１２ａを備えている。この凹み部５１２ａは、特にバックル５２とベルト５１とを相互に離れる方向に操作する際に機能を発揮するものとなっている。
【００４７】
係合レール５１３は、指掛け部５１２の外側部に平面視Ｌ字状をなすように突設された上下方向に延びる柱状のものである。係合レール５１３は、前枠部材３１ｆ及び後枠部材３１ｒと係わり合う前面５１３ａ、背面５１３ｂ、内側面５１３ｃ、外側面５１３ｄを有している。
【００４８】
プレート部材支持部５１４は、プレート部材４を支持するためのものであり、指掛け部５１２の外側部から前方に向かって突出した矩形板状の突出板５１４ａと、この突出板５１４ａの先端部から上下に突出した軸ｊとを備えている。軸ｊは、プレート部材４の軸支持部４２と係わり合うようになっている。
【００４９】
バックル５２は、前記ベルト５１の先端部が挿入されるベルト挿通孔５２１ａを有した背面視枠状をなすバックル本体５２１とこのバックル本体５２１に片持ち状態で設けられ自由端側が前記ベルト５１に対して接離する方向に弾性変形可能な操作アーム５２２と、前記バックル本体５２１の外方端部に設けられ背枠における右の側枠部分ｗ４と係わり合う右側の係合レール５２３と、前記バックル本体５２１の外側端部から前方に向かって突設され前記プレート部材４を支持する右側のプレート部材支持部５２４とを備えている。バックル５２は、樹脂により一体に形成されている。
【００５０】
バックル本体５２１は、ベルト５１の先端部が挿入されるベルト挿通孔５２１ａを有したバックル先端部５２１ｂと、このバックル先端部５２１ｂの上端部から外方に延出したバックル上壁部５２１ｃと、前記バックル先端部５２１ｂの下端部から外方に延出したバックル下壁部５２１ｄと、前記バックル上壁部５２１ｃとバックル下壁部５２１ｄの外方端部間を繋ぐバックル外壁部５２１ｅとを備えている。
【００５１】
バックル先端部５２１ｂは、ベルト本体５１１の前面側を添接させて当該ベルト本体５１１をベルト挿通孔５２１ａに案内するためのベルト案内部５２１ｆをベルト挿通孔５２１ａよりも前側の位置に内方に突出させて設けている。  バックル上壁部５２１ｃとバックル下壁部５２１ｄは内方から外方に向かって漸次前後方向寸法が大きくなるように形成された三角形状をなしている。バックル上壁部５２１ｃとバックル下壁部５２１ｄには、ベルト本体５１１の前面側が添接し得る案内用の突出片５２１ｇ、５２１ｈがそれぞれの前端縁から内方に向かって突設されている。
【００５２】
バックル外壁部５２１ｅは、後端部側の上下方向中間部分を凹ませた形状をなしており、手指が操作アーム５２２にアクセスしやすい形状をなしている。バックル本体５２１は、バックル外壁部５２１ｅの内側面における前後方向中間部からバックル上壁部５２１ｃ及びバックル下壁部５２１ｄの内側面における前後方向中間部に亘って、補強用のリブｒｂを突設させている。
【００５３】
操作アーム５２２は、その一端部をバックル本体５２１に片持ち状態に支持させており、樹脂の弾性変形を利用して前後方向に回動可能に構成されている。具体的には操作アーム５２２の内方端部がバックル先端部５２１ｂに一体に接続している。操作アーム５２２は、枠状をなすバックル本体５２１の内側に配されている。操作アーム５２２は、操作者の指を掛ける操作アーム本体５２２ａとこの操作アーム本体５２２ａから前方に突設して設けられた係合部である係合凸部５２２ｂを備えている。係合凸部５２２ｂは、操作アーム本体５２２ａの自由端側に前方に向かって突出する形状で設けられており、適宜の箇所がリブにより補強されている。
【００５４】
係合レール５２３は、バックル本体５２１の外側部に平面視Ｌ字状をなすように突設された上下方向に延びる柱状のものである。係合レール５２３は、前枠部材３１ｆ及び後枠部材３１ｒと係わり合う前面５２３ａ、背面５２３ｂ、内側面５２３ｃ、外側面５２３ｄを有している。
【００５５】
プレート部材支持部５２４は、プレート部材４を支持するためのものであり、バックル本体５２１の外側部から前方に向かって突出した矩形板状の突出板５２４ａと、この突出板５２４ａの先端部から上下に突出した軸ｊとを備えている。軸ｊは、プレート部材４の軸支持部４２と係わり合うようになっている。
【００５６】
次いで、撓み量調整機構Ｊについて詳述する。
【００５７】
撓み量調整機構Ｊは、バックル５２に設けられた係合凸部５２２ｂと、ベルト５１に設けられ左右方向に間隔をあけて配された複数の係合凹部５１１ａとを備えている。撓み量調整機構Ｊは、前記係合凸部５２２ｂを前記複数の係合凹部５１１aの何れかに選択的に係合させ得るようにしたものである。
【００５８】
すなわち、ランバーサポートＳは、張地３２を受け止めるための受け止め部材５の受け止め位置を前後方向に変化させる前記撓み量調整機構Ｊを設けている。撓み量調整機構Ｊは、張地３２をプレート部材４を介して間接的に受け止める当該受け止め部材５の受け止め位置をその撓み度合いを変えることによって前後方向に変化し得るようにしている。受け止め部材５は、撓み量調整機構Ｊにより、ベルト５１を主体とした前記受け止め部材５の撓み度合い（湾曲度合い）を、撓み度合いの相対的に小さな前位置（Ｆ）と、当該前位置（Ｆ）にある状態よりも撓み度合いの大きな後位置（Ｒ）との間で撓み度合いを変化させることができるようになっている。受け止め部材５は、前位置（Ｆ）においても一定程度後方に撓んだ状態に設定されている。なお、本実施形態では、バックル５２の操作アーム５２２に設けられた係合凸部５２２ｂとベルト５１の先端側に複数並び配された３箇所の係合凹部５１１ａとを係合させることにより、前述した前位置（Ｆ）と後位置（Ｒ）に加えて、受け止め部材５の撓み度合いを前位置（Ｆ）にある状態よりも大きく且つ後位置（Ｆ）にある状態よりも小さくなる位置となる中間位置にある状態を設定できるようにしてある。
【００５９】
以上に説明したランバーサポートＳは、上下方向に移動可能に前記背凭れ３に支持されている。すなわち、ランバーサポートＳにおける左右の係合レール５１３、５２３が、背凭れ３の左右の側枠部分ｗ３、ｗ４に設けられたランバーサポート支持部に上下方向にスライド移動可能に支持されている。この実施形態では、左右の係合レール５１３、５２３が上下方向に延びる柱状をなしているため、ランバーサポートＳは、水平姿勢を維持して安定的に上下昇降し得るものとなっている。プレート部材４は受け止め部材５に支持されているため、操作者が受け止め部材５の所定箇所を把持しつつ当該受け止め部材５を上下方向にスライド移動させればプレート部材４は受け止め部材５とともに上下方向にスライド移動する。
【００６０】
次いで、本実施形態におけるランバーサポートＳの作用について主として図９及び図１０を参照して説明する。
【００６１】
図１０に示すように、ランバーサポートＳの受け止め部材５は、前位置（Ｆ）においても、後方に凸をなすように一定の撓みが保持されている。着座者Ｐが張地３２に凭れていない状態では、受け止め部材５は、張地３２に対して前方に積極的に押圧していない状態にある。
【００６２】
図１０に示すように、着座者Ｐが張地３２に凭れた結果、張地３２に後方への荷重が作用すると、受け止め部材５に対してスライド可能に支持されたプレート部材４が張地３２を介して後方に湾曲することになる。この際、プレート部材４の軸支持部４２は、受け止め部材５のプレート部材支持部５１４、５２４に対して相対移動する。具体的には、軸支持部４２がプレート部材支持部５１４、５２４に対して内側にスライド移動することになる。その後、プレート部材４は、前位置（Ｆ）に設定されている受け止め部材５により、後方への撓み量が比較的小さな段階で後方への撓みが阻止されることになる。プレート部材４の撓みが受け止め部材５により阻止されると、着座者Ｐの後方への荷重が受け止め部材５により受け止められることになり、着座者Ｐの腰部を支持するいわゆるランバーサポート機能を発揮することとなる。
【００６３】
一方で、図９に示すように、ランバーサポートＳの受け止め部材５は、後位置（Ｒ）において、前位置（Ｆ）と比べて大きく後方に凸をなすように撓んだ状態になっている。なお、受け止め部材５が前位置（Ｆ）にある場合と同様に、着座者Ｐが張地３２に凭れていない状態では、受け止め部材５は、張地３２に対して前方に積極的に押圧していない状態にある。
【００６４】
図９に示すように、着座者Ｐが張地３２に凭れた結果、張地３２に後方への荷重が作用すると、受け止め部材５に対してスライド可能に支持されたプレート部材４が張地３２を介して後方に湾曲することになる。この際、プレート部材４の軸支持部４２は、受け止め部材５のプレート部材支持部５１４、５２４に対して相対移動する。具体的には、軸支持部４２がプレート部材支持部５１４、５２４に対して内側に比較的大きくスライド移動することになる。その後、プレート部材４は、後位置（Ｒ）に設定されている受け止め部材５により、前位置（Ｆ）の場合と比べて大きく後方に撓んだ段階で後方への撓みが阻止されることになる。例えば、張地３２の張力により、プレート部材４が後位置（Ｒ）にある受け止め部材５により阻止されるまで撓まないような場合には、ランバーサポートＳによって着座者Ｐの腰部を支持するいわゆるランバーサポート機能は作用しないことになる。図９に具体的に示す一例のように、張地３２の張力に抗して着座者Ｐの荷重をうけて、プレート部材４が後位置（Ｒ）にある受け止め部材５により阻止されるまで撓んだ場合には、ランバーサポートＳによって着座者Ｐの腰部を支持するいわゆるランバーサポート機能を奏し得るものとなる。
【００６５】
以上説明したように、本実施形態に係る椅子Ｃは、背枠３１の内側に着座者Ｐからの荷重に応じて厚み方向に弾性的に撓む背支持部材たる張地３２を配してなる背凭れ３と、この背凭れ３に設けられるランバーサポートＳとを備えている。そして、前記ランバーサポートＳが、両端部を前記背枠３１に支持させて前記背凭れ３の背面側に配設され前記張地３２が後方に撓んだ段階で当該張地３２の背面を間接的に受け止めて当該張地３２の撓みを抑制する受け止め部材５と、この受け止め部材５による受け止め位置を前後方向に変化させる撓み量調整機構Ｊとを備えている。このため、ランバーサポートＳを有する椅子Ｃにおいて、ランバーサポートＳに関連する部位における構造の簡素化や軽量化を図るための設計の自由度に優れたものとなる。つまり、従来のランバーサポートと異なり、本実施形態のランバーサポートＳは、受け止め部材５が張地３２が後方に撓んだ段階で初めて張地３２の背面を間接的に受け止めて張地３２の撓みを抑制し、着座者Ｐの腰部分を支持するようにしている。このため、所期状態において、足場を強固にするべくランバーサポートＳに関連する部位を過度に手当てする必要性が軽減されるものとなる。
【００６６】
また、受け止め部材５は、張地３２が後方に撓んだ段階で当該張地３２の背面を間接的に受け止めて当該張地３２の撓みを抑制するものであるため、着座者Ｐの荷重を受けていない段階で一定程度後方に撓んだ状態を保持するものとなっている。このため、受け止め部材５を目視により把握するだけで、容易に腰部を支持する度合いを確認することができるものとなっている。
【００６７】
前記ランバーサポートＳが、前記張地３２の背面に添接するプレート部材４と、このプレート部材４の背面側に配設され前記張地３２の背面を前記プレート部材４を介して間接的に受け止め得る受け止め部材５とを備えているので、着座者Ｐの腰部を好適に支持させ得るものとなる。すなわち、着座者Ｐの荷重を受けて後方に凸をなすようにしなりが生じるプレート部材４を介して、受け止め部材５が着座者Ｐの腰部を支持する構成をなすためいわゆる当たりの強さに伴うを緩和する作用を発揮し得るものとなる。
【００６８】
また、着座者Ｐの腰部を支持する強さの程度を、プレート部材４の後方へのしなりの程度により調整することができるため、腰部に対するサポート力を調整するための設計の自由度が向上するものとなる。
【００６９】
前記プレート部材４が、その両端部を前記受け止め部材５の両端部に回動及び左右方向にスライド可能に支持させたものであるため、プレート部材４が受け止め部材５に対して好適に相対移動し得るものとなる。このため、受け止め部材５が前位置（Ｆ）と後位置（Ｆ）との間で姿勢変更するものであっても、適切な撓みを実現することができるものとなる。
【００７０】
前記背枠３１が、左右の側枠部分ｗ３、ｗ４を備えたものであり、前記受け止め部材５が、基端部を一方の側枠部分である左の側枠部分ｗ３に支持させ先端側を他方の側枠部分である右の側枠部分ｗ４の方向に延伸させたベルト５１と、基端部を他方の側枠部分である右の側枠部分ｗ４に支持させ前記ベルト５１の先端側を保持するバックル５２とを備えたものである。このため、ベルト５１及びバックル５２の協働により着座者Ｐの腰部分を好適に支持し得るものとなる。
【００７１】
前記撓み量調整機構Ｊが、前記バックル５２に設けられた係合凸部５２２ｂと、ベルト５１に設けられ左右方向に間隔をあけて配された複数の係合凹部５１１ａとを備え、前記係合凸部５２２ｂを前記係合凹部５１１ａの何れかに選択的に係合させ得るようにしたものであるため、多段階式に係合位置を変更することができ、好適に撓み量を調整することができるものとなる。
【００７２】
前記バックル５２が、前記ベルト５１の先端部が挿入されるベルト挿通孔５２１ａを有したバックル本体５２１とこのバックル本体５２１に片持ち状態で設けられ自由端側が前記ベルト５１に対して接離する方向に弾性変形可能な操作アーム５２２とを備えている。そして、前記操作アーム５２２の自由端側に前記係合凸部５２２ｂが設けられているとともに、前記ベルト５１に、前記複数の係合凹部５１１ａが設けられている。このため、バックル５２の操作により、ベルト５１とバックル５２との相対位置を好適に変更操作することができるものとなる。
【００７３】
前記ベルト５１が手指を掛けるための指掛け部たる貫通孔５１１ｃを備えたものであり、当該貫通孔５１１ｃ及び前記バックル５２にそれぞれ片手側の手指を掛けて双方を相寄る方向に操作可能に構成されている。このため、ベルト５１とバックル５２との協働による撓み量の調整を好適に行うことができるものとなる。
【００７４】
前記ランバーサポートＳが、上下方向に移動可能に前記背凭れ３に支持されているため、着座者Ｐの体格等に応じて腰部を適切に支持することができるものとなる。
【００７５】
この実施形態では、背凭れ３に背支持部材たる張地３２を備えているため、着座者Ｐの背中を張地３２の弾性変形を利用して好適に支持し得るものとなる。
【００７６】
なお、本発明は、以上に詳述した実施形態に限られるものではない。
【００７７】
上述した実施形態では、背支持部材が、張地を主体に構成されているものを示したが、これに限定されるものではない。背支持部材には、張地の他、いわゆる樹脂メッシュと称される硬質樹脂により網状に構成されたものや、クッション材に表皮材を被覆したものなどが考えられる。
【００７８】
受け止め部材は、ベルトとバックルにより構成されたものには限られない。すなわち、受け止め部材は、その撓みの程度を大小調節することができるものであればよく、種々の構成のものが考えられる。例えば、２本の帯状部材を備えたものであってもよい。この場合、２本の帯状部材の外方端をそれぞれ背枠に止着させるとともにそれぞれの内方端部同士を所定の方法により係わり合わせるようにしたものが好適である。
【００７９】
ランバーサポートは、少なくとも受け止め部材を備えているものであればよく、プレート部材が存在しないものであってもよい。
【００８０】
ランバーサポートは、背凭れに対して上下動可能に構成されたもので無くてもよい。
【００８１】
撓み量調整機構は、ベルト及びバックルの一方に設けられた係合部と、他方に設けられ左右方向に間隔をあけて配された複数の被係合部とを備えているものであればよく、本実施形態に示されるような係合凹部や係合凸部を備えた態様のものに限定されるものではない。
【００８２】
また、座や支持基部に対して適宜肘掛けを取り付けてもよいし、背凭れにヘッドレストやハンガーを適宜取り付けてもよいのはもちろんのことである。
【００８３】
ベルトに手指を挿通可能な貫通孔が設けられているものにおいては、その形状等は種々のものが考えられ、上述した実施形態のものに限定されるものではない。
【００８４】
上述した実施形態では、ベルトが手指を掛けるための指掛け部を有し、ベルト又はバックルの一方側に設けた係合部と他方に設けた被係合部とを係合させていない状態において、指掛け部及びバックルにそれぞれ片手側の手指を掛けて双方を相寄る方向に操作可能に構成されているが、このようなものに限られるものではない。すなわち、前記係合部と前記被係合部とが係合している状態において、指掛け部及びバックルの双方を相寄る方向に操作可能に構成したものであってもよい。
【００８５】
その他、各部の具体的構成についても上記実施形態に限られるものではなく、本発明の趣旨を逸脱しない範囲で種々変形が可能である。
【符号の説明】
【００８６】
１…脚
２…座
３…背凭れ
４…プレート部材
５…受け止め部材
３１…背枠
３２…背支持部材（張地）
Ｃ…椅子
Ｊ…撓み量調整機構
Ｓ…ランバーサポート
【図１】
0006405770.tif 000002
【図２】
0006405770.tif 000003
【図３】
0006405770.tif 000004
【図４】
0006405770.tif 000005
【図５】
0006405770.tif 000006
【図６】
0006405770.tif 000007
【図７】
0006405770.tif 000008
【図８】
0006405770.tif 000009
【図９】
0006405770.tif 000010
【図１０】
0006405770.tif 000011